(57)【要約】【課題】切断後の接着テープの端部を自動的に折り返して接着面側を互いに重合させることで接着テープ端部に剥離代としての非接着部分を容易に迅速且つ確実にそして安全に形成することができるテープカッターを提供する。【解決手段】テープカット操作時にテープＴが触れると上下方向に動くタッチプレート3を設け、このタッチプレート3と連動して前後に動く可動テープ受台5を設ける、更に可動テープ受台5の後方には固定テープ受台6を設け、前後スライド可能な可動テープ受台5はテープカットされる時点では固定テープ受台6より最も離れた位置となりテープカットされた後では固定テープ受台6に最も接近した位置（可動テープ受台5が切断刃から最も離れた位置）となって可動テープ受台5と固定テープ受台6の間が極度に狭まり可動テープ受台面5aと固定テープ受台面6aの間にあるテープ端部が撓んで上方向へループ状に接着重合される。【選択図】        図1
2006056689.tif 000002
【特許請求の範囲】
【請求項１】
テープ装填する回転リールとテープカッター本体の台座と台座に設けたタッチプレートとタッチプレートに連動しているテープ受台と台座に固定されたテープ受台そしてテープ切断刃とからなり、切断後にテープの端部がループ状に折り返されて接着面が互いに貼り合わさり、端部に非接着部を形成するようにしたテープカッター。
【請求項２】
テープに接触して上下スライドするタッチプレートを設けることで、多岐にわたるテープ操作に関連した動作及びセットリセット機能として役立つことを特徴としたテープカッター。
【請求項３】
テープ受台が前後スライドすることで、テープ端部に確実に安定した非接着部を形成できることを特徴としたテープカッター。
【請求項４】
テープ受台が斜め前後スライドすることでテープ端の角部に非接着部分を形成できることを特徴としたテープカッター。
【請求項５】
スライドするテープ受台の案内溝をスロープ状にすることでテープ受台が戻り始めの瞬間に後方上がりに傾いて確実にテープ接着面が互いに重合できることを特徴としたテープカッター。
【請求項６】
スライドするテープ受台と固定されたテープ受台のテープ受面に非接着部分を設けることで確実にテープ接着面が互いに重合できることを特徴としたテープカッター。
【請求項７】
用途により請求項1のテープカッターと一般テープカッターとの切り替え操作ができることを特徴としたテープカッター。
【発明の詳細な説明】
【技術分野】
【０００１】
本発明は貼り付けた接着テープを容易にはがせるようにテープカット後にテープ端部が折り返されて接着面側が互いに重合することで接着テープ端部に剥離代としての非接着部分を形成することのできるテープカッターに関するものである。
【背景技術】
【０００２】
従来一般的なテープカッターは、テープ切断刃を設けたテープカッター本体にロール状の接着テープを装填する回転リールとから構成されている。このようなテープカッターでカットされた接着テープ片は、そのテープ片全体が接着対象物に貼着されるため、貼着されたテープの剥離が甚だ困難である。このため貼着後に剥離が予定されている場合、切断された接着テープ片に紙テープ片を貼り合わせてあらかじめ接着不能な非接着部分として剥離代を形成するようにしたテープカッターが提案されているが、紙テープの送り機構を設けることで複雑化を伴うと共に、接着テープの他に紙テープも装填することになり手間や費用もかかることになる。他方、接着テープの端部を若干接着面側に折り返し貼り合わせることにより非接着部分を形成するようにしたテープカッターが提案されているが、半ば手動式となり作業性が悪く剥離代の製作に困難を伴う。そこで、例えば、特開2003−089466号公報に開示されているように、切断後の接着テープ端が折り返されて接着面を互いに重合させる方式として簡便かつ迅速に非接着部分を形成することのできるテープカッターが提案されている。
【発明の開示】
【発明が解決しようとする課題】
【０００３】
しかしながら上記公報所載のテープカッターは、テープ端の折り返し重合による非接着部分の形成が不確実であること、及び形成された非接着部分を?でテープを引き出すときに指先等が切断刃に触れ易いという不具合がある。前記非接着部分の形成が不確実である理由としてテープを引き出してテープを弾性板上部の第2のテープ受部に接触させた状態で手前に引っ張り弾性板を湾曲させながら切断刃に押し当てテープカットする操作は常に動きを意識しながらの操作であるために作業性が悪く製作に不具合が生じ易い又テープカットされて第2のテープ受部が戻るとき第1のテープ受部と第2のテープ受部との間の非接着形成部分となるテープ端部分は自重で垂れて下方向に折り曲がり易くなってしまい下方向に折り曲がるとテープ重合のためのループは接着面が外側になるのでテープ重合形成ができない状態が発生する、更にはテープを引き出す力と切断力との関係で第2のテープ受を所定位置まで引き終える以前にテープがカットされる不具合もある。本発明は上記のような従来技術の問題点を解決するもので、切断後の接着テープの端部を自動的に折り返して接着面側を互いに重合させることで接着テープ端部に剥離代としての非接着部分を容易に迅速且つ確実にそして安全に形成することができるテープカッターを提供することを目的とするものである。
【課題を解決するための手段】
【０００４】
目的を達成するために、本発明はテープカット操作時にテープが接触すると上下方向に動くタッチプレートを設け、このタッチプレートと連動して台座上を前後に動く可動テープ受台を設ける、更に可動テープ受台の後方には固定テープ受台を設けて、前後スライド可能な可動テープ受台がテープカットされる直前では固定テープ受台より最も離れた位置に移動しテープカットされた後では固定テープ受台に最も接近した位置（可動テープ受台5が切断刃から最も離れた位置）に移動して可動テープ受台と固定テープ受台の間が極度に狭まることで可動テープ受台面と固定テープ受台面の間にあるテープ端部が上方へループ状に撓んで接着重合されることを特徴とする。
【０００５】
上面開放で中空な台座があり、台座の前側内面に平行近接して上下スライド可能な平板で四角形状したタッチプレートを設ける、タッチプレートの構成には分離型と一体型の二種類の方法があって、一方法はタッチプレートの直後に平行近接して切断刃を切り離して設ける分離構成方法であり、他の方法はタッチプレートの上端に直接切断刃を設けた一体構成方法である。更にタッチプレートと可動テープ受台との連動方法としてはギア連動と弾性板連動の二種類の方法があって、一方法はタッチプレートの下端がバネで押し上げられていてタッチプレート内側（テープ引き出し方向側）面に第1のラックギアとこれに噛み合うピニオンギアを設けこのピニオンギアが台座上を自在スライドする可動テープ受台の下部に設けた第2のラックギアに連動する方法であり他の方法は四角形をした弾性板を設けこの弾性板の一辺がタッチプレート内側面に連結されており連結された一辺の対辺側が台座上を自在スライドする可動テープ受台の下端部に連結される方法であって弾性板中央には弾性板を撓ませてバネ効果を発するためのローラーを設けている。可動テープ受台のスライド方式にもスライド方向により前後スライドの方式と斜め前後スライドの方式とがあっていずれも台座上の後方側には固定された固定テープ受台が設けてあり可動テープ受台と固定テープ受台は前後に平行していて、互いのテープ受台の上端であるテープ受面はほぼ同一水平面にある。
【０００６】
テープ端を折り返し重合するためのループ形が確実に可動テープ受台と固定テープ受台の間の上方側に形成されるためには二種類の方法があって一方法は前後スライドする可動テープ受台の案内溝が上下にスロープしていて、テープカット直後に可動テープ受台が後方へスライド開始時に可動テープ受台の上面を後方上がりに傾ける方法であり他の方法は可動テープ受台と固定テープ受台が互いに向き合う側を上方向に傾けて且つ向き合う側のテープ受面の一部に非接着部分を施す方法である。
【０００７】
最初の状態は可動テープ受台が固定テープ受台の前面に近接していて、テープカット操作する際にタッチプレートが下方向に押されスライドして行くにつれてタッチプレートに連動している可動テープ受台は固定テープ受台から離れて行き前方の切断刃に接近する、やがてテープが切断刃に当たりテープカットされるとタッチプレートはバネ反力で上方向へスライド復帰すると共に、タッチプレートに連動している可動テープ受台は再び固定テープ受台の前面に近接復帰してテープ操作以前の初期状態に復元する。この時テープ端を折り返したループが可動テープ受台と固定テープ受台の間の上方側に形成される。
【０００８】
このカッターを用いることで通常のカッターと同じ感覚でテープを切断できること、そして更にテープ重合ループは切断刃から離れた位置に形成するので、ループ形成したテープ端部を掴んで安全にテープを引き出すことができる。
【０００９】
このように正確で安全にそして自動且つ連続的に接着テープ端部重合による剥離代としての非接着部分を形成できることを特徴としている。尚このカッターはワンタッチで一般のテープカッター機能との切り替え操作ができる利便性を持ち合わせている。
【発明の効果】
【００１０】
以上説明したようにこのテープカッターは簡素な構成ながらより安全に、そして確実に切断後の接着テープ端部に剥離代となる非接着部分を、連続で簡便且つ迅速に形成できる、優れた効果がある。
【発明を実施するための最良の形態】
【００１１】
次に本発明の実施の形態について図面に示す実施例に基づいて説明する。図1は本発明に係わるテープカッターの実施例を示す分解斜視図、図2は本発明に係わるテープカッターを示す斜視図、図3、図4、図5、図6、図7は使用状態を示す要部断面側面図、図8はテープの非接着部を施した場合の正面図及び要部断面側面図、図9はテープ端ループ形成斜視図、図10、図11は本発明に係わるテープカッターでテープ端の角部に非接着部分を形成できるテープカッターの場合の分解斜視図及びテープ端ループ形成斜視図、図12は一般テープカッター仕様に切り替えた状態を示す正面図、図13は一般テープカッター仕様に切り替えた状態を示す要部断面側面図、図14は他の実施例を示す分解斜視図、図15、図16、図17、図18、図19は他の実施例の使用状態を示す要部断面側面図、図20は他の実施例の一般テープカッター仕様に切り替えた状態を示す正面図、図21は他の実施例の一般テープカッター仕様に切り替えた状態を示す要部断面側面図である。
【実施例１】
【００１２】
図1及び図2に示すように、本発明に係わるテープカッター1はロール状の接着テープＴを装着する回転リールが収納される胴体1aとテープ切断機構に係わる台座1bとからなり、台座1b上の前方向側に切断刃9を有しこの前面に平行近接してタッチプレート3が設けてあって、タッチプレート3は左右両端にタッチプレートスライダー3cを有し台座1bの左右両側内面に上下縦方向に設けたタッチプレート案内溝1cに沿って上下自在スライドが可能になっている、又タッチプレート3の下部は直角後方（L字）に突き出た半固定板3dを有し半固定板3dの下部に付設された第1スプリングガイド3fと台座1b下部に付設された第2スプリングガイド1gを案内部として内装された2本のコイルバネ7により常時上方に付勢されている。
【００１３】
図3乃至図7に示すようにタッチプレート中央内側面には第1のラックギア3bが付設されていて台座1b上左右両内面には縦長溝1eの下部を軸受部とした支持軸4cを有するピニオンギア4が設けてあり、ピニオンギア4は2段式一体型ギア構成で、第1段ギア4aが第1のラックギア3bと噛み合っている、更に第2段ギア4bが台座1b上の左右両内側面の前後にわたり設けたスロープ案内溝1dに沿って前後（非接着部分の形成がテープ端角部の場合は斜め前後）に自在スライド可能でテープ受台スライダー5bを有する可動テープ受台5の下部に付設された第2のラックギア5cと噛み合っている。又テープ受台スライダー5bの左右両端面は（∞）形の特殊形状をしていてスロープ案内溝1dに適合する形状になっている。可動テープ受台5の後方には固定テープ受台6が台座1b後端に設けてあって可動テープ受台面5aと固定テープ受台面6aはほぼ同水平面上にある。
【００１４】
台座1b前面側中央の通し円穴1fとタッチプレート3の中央下部にある通し縦長穴3eを貫通する支持棒8aがあってタッチプレート3が下方向にスライドすると支持棒8aの外周面が通し縦長穴3e内部上端部に突き当たり停止した位置がタッチプレート3の下限位置となり、又タッチプレート3が上方向にスライドすると支持棒8aの外周面が通し縦長穴3e内部下端部に突き当たり停止した位置がタッチプレート3の上限位置となって、タッチプレート3の上下スライド範囲を決めている。
【００１５】
前記支持棒8aの前方には通常テープカッター機能に切り替えるためのツマミ8が固定されてあり、図12及び図13に示すようにこの切り替えツマミ8を右方向へ回すことで支持棒8aの後方側に固定された長方体形のストッパー8bがタッチプレート3の半固定板3dを常時上方に付勢させているコイルバネ7に対抗して半固定板3dを下方向へ押し下げ、タッチプレート3を下方向に保持半固定させることで通常テープカッター機能に切り替えることが可能である。
【００１６】
前記第1段ギア4aの外径に比較して第2段ギア4bの外径の方を大きくすることで、第1段ギア4aの歯数より第2段ギア4bの歯数が多く設けられタッチプレート3のスライド量に比較して可動テープ受台5のスライド量を大きくとれるのでタッチプレート3上端のテープ接触端3aから切断刃9までのタッチプレート3のスライド量を少なくできるという有利性がある。
【００１７】
この実施例1では可動テープ受台5はスロープ案内溝1dに沿ってスライドする方法でテープ端のループ形成を確実にしているが図8に示すように可動テープ受台5と固定テープ受台6が互いに向き合う側を若干上方向に傾けて且つ向き合う側の可動テープ受台面5aと固定テープ受台面6aの一部に非接着加工を施した非接着テープ受面13を設ける方法でも可能であって、この場合のテープ受台スライダー5bの案内溝1dは直線形状でよい。
【００１８】
この実施例1では可動テープ受台5は一体構成になっているが可動テープ受台面5aの部分を分離してこの部分を前後方向に移動可能で半固定式の構成にすれば可動テープ受台面5aと固定テープ受台面6aの最大間隔を可変できるのでテープ端のループの大きさを調整することが可能である。
【００１９】
この実施例1ではタッチプレート3の半固定板3dを下方向より押し上げているコイルバネ7は押バネを使用しているが、代わりにキックバネを用いてもよい。
【００２０】
次に本発明に係わるテープカッターの使用方法を説明する。最初に通常のテープカッターと同様に接着テープの先端部を掴んで適量引き出す、そしてテープカットするために切断刃9に押し当てる操作をするとまず図3に示すようにタッチプレート3の上端であるテープ接触端3aの上方からテープTがテープ接触端3aに接触する状態で当たりタッチプレート3が下方向に押されて行くと同時に固定テープ受台6の直前に位置していた可動テープ受台5が前進（非接着部分の形成がテープ端角部の場合は斜め前進）スライドを開始する次に図4に示すようにテープTが固定テープ受台面6aに接着し続いて可動テープ受台5が切断刃9に接近した位置でテープTは可動テープ受台面5aに接着する、同時にタッチプレート3が下限位置に達し停止するとテープTが切断刃9に強く押し当てられて図5に示すような状態で切断されタッチプレート3はテープ接触端3aがもはやテープTに押されないために無負荷状態となり瞬時に上昇復帰を開始する、同時に可動テープ受台5も後退（非接着部分の形成がテープ端角部の場合は斜め後退）を開始して直後可動テープ受台5は後方上がりに傾き図6に示すように可動テープ受台面5aに接着した部分以後のテープTを水平方向より若干上方向に押す状態となる、最後に可動テープ受台5は固定テープ受台6の近接位置に戻り図7に示すようにテープ操作以前の状態に復帰する、この時テープ端接着面が互いに接合してテープ端ループが可動テープ受台面5aと固定テープ受台面6aの間の上方に形成されている、図9はこの時できるテープ端ループ12の斜視図である。作業者はこのテープ端ループ12を掴んでテープを所望する長さだけ引き出し切断することでテープ端接着面重合により形成された非接着部分を端部としたテープ片が完成すると共に、この時既に可動テープ受台面5aと 固定テープ受台面6aの間の上方には次のテープ片に備えてテープ端ループ12が図9（非接着部分の形成がテープ端角部の場合は図11）のように形成されている。
【００２１】
台座1b前面に設けた切り替えツマミ8の操作でテープ片の剥離代の有無選択ができる様にしたものでいずれか希望する側に切り替えツマミ8を廻し切り替えツマミ8の先端マークを台座前面マークに合わせるだけの操作で実現できる。図12に示しているのはテープ端部に剥離代の無しを選択している状態であってこの時の内部状態を図13に示している。
【００２２】
次に本発明に係わるテープカッターの他の実施例について説明するが便宜上実施例1と同様の構成要素には同一の参照符号を付して説明する。
【実施例２】
【００２３】
図14に示すように、本発明に係わるテープカッター1はロール状の接着テープＴが装着される回転リール2を収納する胴体1aとテープ切断機構に係わる台座1bとからなり、台座1b上に切断刃9を最上端に有するタッチプレート3が設けてあって、タッチプレート3の左右両端にはタッチプレートスライダー3cを有し台座の左右両側内面に上下縦方向に設けたタッチプレート案内溝1cに沿って上下自在スライド可能になっている、又タッチプレート3の下部は直角後方（L字）に突き出た半固定板3dを有している。
【００２４】
タッチプレート3の中央部内側面には四角形をした弾性板10の一辺が連結されてありこの対辺が台座上の左右両内側面の前後にわたり設けたスロープ案内溝1dに沿って前後（非接着部分の形成がテープ端角部の場合は斜め前後）に自在スライドするテープ受台スライダー5bを有する可動テープ受台5の下端部に連結されている、弾性板10の中央付近の内面（台座後方側の面）は台座1b左右内面の縦長溝1eの下端を軸受として支持軸を有するローラー11の外周面により押圧されて弾性板10を前上方に湾曲させ弾性板10自身のバネ効果によりタッチプレートは常時上方に付勢されている。又テープ受台スライダー5bの左右両端面は（∞）形の特殊形状をしていてスロープ案内溝1dに適合する形状になっている。可動テープ受台5の後方には固定テープ受台6が台座1bの後端に設けてあって可動テープ受台面5aと固定テープ受台面6aはほぼ同水平面上にある。
【００２５】
台座1b前面側中央の通し円穴1fとタッチプレート3の中央下部にある通し縦長穴3eを貫通する支持棒8aがあってタッチプレート3が下方向スライドすると支持棒8aの外周面が通し縦長穴3e内部上端部に突き当たり停止した位置がタッチプレート3の下限位置となり、又タッチプレート3が上方向スライドすると支持棒8aの外周面が通し縦長穴3e内部下端部に突き当たり停止した位置がタッチプレート3の上限位置となって、タッチプレート3の上下スライド範囲を決めている。
【００２６】
前記支持棒8aの前方には通常テープカッター機能に切り替えるためのツマミ8が固定されてあり、図20及び図21に示すようにこの切り替えツマミ8を右方向へ回すことで支持棒8a後方側に固定された長方体形のストッパー8bがタッチプレート3の半固定板3dを常時上方に付勢させている弾性板10のバネ効果に対抗して半固定板3dを下方向へ押し下げ、タッチプレート3を下方向に保持半固定させることで通常テープカッター機能に切り替えが可能である。
【００２７】
次に本発明に係わるテープカッターの使用方法を説明する。最初に通常のテープカッターと同様に接着テープの先端部を掴んで適量引き出す、そしてテープカットするために切断刃9に押し当てる操作をするとまず図15に示すようにタッチプレート3の上端部である切断刃9にテープTが接触してタッチプレート3が下方向に押されてスライドして行くと同時に固定テープ受台6の直前に位置している可動テープ受台5が前進（非接着部分の形成がテープ端角部の場合は斜め前進）スライドして行く次に図16に示すようにテープTが固定テープ受台面6aに接着し続いて前進スライドしている可動テープ受台5が切断刃9に接近した位置でテープTは可動テープ受台面5aに接着する、同時にタッチプレート3が下限位置に達し停止するとテープTが切断刃9に強く当たり図17のような状態で切断されもはや切断刃9がテープTに押されないためにタッチプレート3は無負荷状態となり瞬時に上昇復帰開始する、同時に可動テープ受台5も後退（非接着部分の形成がテープ端角部の場合は斜め後退）開始して直後に可動テープ受台5は後方上がりに傾き図18に示すように可動テープ受台面5aに接着した部分以後のテープTを水平方向より若干上方向に押す状態となる、最後に可動テープ受台5は固定テープ受台6の近接位置に戻り図19に示すようにテープ操作以前の状態に復帰する、この時テープ端接着面が互いに接合してテープ端ループ12が可動テープ受台面5aと固定テープ受台面6aの間の上方に形成されている、図8はこの時できるテープ端ループ12の斜視図である。作業者はこのテープ端ループ12を掴んでテープを所望する長さだけ引き出し切断することでテープ端接着面重合により形成された非接着部分を端部としたテープ片が完成すると共に、この時既に可動テープ受台面5aと 固定テープ受台面6aの間の上方には次のテープ片に備えてテープ端ループ12が図9（非接着部分の形成がテープ端角部の場合は図11）のように形成されている。
【００２８】
台座1bの前面に設けた切り替えツマミ8の操作でテープ片の剥離代の有無選択ができるようにしたものでいずれか希望する側に切り替えツマミ8を廻し切り替えツマミ8の先端マークを台座1b前面マークに合わせるだけの操作で実現できる。図20に示しているのはテープ端部に掴み代の無しを選択している状態であってこの時の内部状態を図21に示している。
【００２９】
この実施例2では弾性板10のバネ効果を利用しているがタッチプレート3の半固定板3dをコイルバネとして押バネ又はキックバネにより下方向より押し上げても良い。
【図面の簡単な説明】
【００３０】
【図１】本発明に係わるテープカッターを示す分解斜視図である。（実施例1）
【図２】本発明に係わるテープカッターを示す斜視図である。（実施例1）
【図３】テープカッター使用状態でテープ引き出し状態を示す要部断面側面図である。（実施例1）
【図４】テープカッター使用状態でテープが固定テープ受台面に付着した状態を示す要部断面側面図である。（実施例1）
【図５】テープカッター使用状態でテープが可動テープ受台面に付着し切断歯でテープカットされた状態を示す要部断面側面図である。（実施例1）
【図６】テープカッター使用状態で可動テープ受台が戻る時後方上がりとなって可動テープ受台面と固定テープ受台面の間のテープが上方向に反れている状態を示す要部断面側面図である。（実施例1）
【図７】テープカッター使用状態でテープがループ状に形成されテープ引き出し待機状態を示す要部断面側面図である。（実施例1）
【図８】可動テープ受台面と固定テープ受台面のテープ非接着部を示す平面図及び要部断面側面図である。
【図９】テープ端ループ形成斜視図である。（実施例1、実施例2）
【図１０】本発明に係わるテープカッターでテープ端角部に非接着部を形成することのできるテープカッターを示す分解斜視図である。（実施例1）
【図１１】テープ端角部にループ形成する分解斜視図である。（実施例1）
【図１２】一般テープカッター仕様に切り替えた状態を示すテープカッターの正面図である。
【図１３】一般テープカッター仕様に切り替えた状態を示す要部断面側面図である。（実施例1）
【図１４】本発明に係わるテープカッターの他の実施例を示す分解斜視図である。（実施例2）
【図１５】その他の実施例のテープカッター使用状態でテープ引き出し状態を示す要部断面側面図である。（実施例2）
【図１６】その他の実施例のテープカッター使用状態でテープが固定テープ受台面に付着した状態を示す要部断面側面図である。（実施例2）
【図１７】その他の実施例のテープカッター使用状態でテープが可動テープ受台面に付着し切断歯でテープカットされた状態を示す要部断面側面図である。（実施例2）
【図１８】その他の実施例のテープカッター使用状態で可動テープ受台が戻る時後方上がりとなって可動テープ受台面と固定テープ受台面の間のテープが上方向に反れている状態を示す要部断面側面図である。（実施例2）
【図１９】その他の実施例のテープカッター使用状態でテープがループ状に形成されテープ引き出し待機状態を示す要部断面側面図である。（実施例2）
【図２０】その他の実施例のテープカッター使用状態で一般テープカッター仕様に切り替えた状態を示すテープカッターの正面図である。（実施例2）
【図２１】その他の実施例のテープカッター使用状態で一般テープカッター仕様に切り替えた状態を示す要部断面側面図である。（実施例2）
【符号の説明】
【００３１】
Tテープ
1テープカッター
1aテープカッター胴体
1b台座
1cタッチプレート案内溝
1dスロープ案内溝
1e縦長溝
1f通し円穴
1g第1スプリングガイド
2回転リール
3タッチプレート
3aテープ接触端
3b第1のラックギア
3cタッチプレートスライダー
3d半固定板
3e通し縦長穴
3f第2スプリングガイド
4ピニオンギア
4a第1段ギア
4b第2段ギア
4cギア支持軸
5可動テープ受台
5a可動テープ受台面
5bテープ受台スライダー
5c第2のラックギア
6固定テープ受台
6a固定テープ受台面
7コイルスプリング
8切り替えツマミ
8a支持棒
8bストッパー
9切断刃
10弾性板
11ローラー
12テープ端ループ
13非接着テープ受面
【図１】
2006056689.tif 000003
【図２】
2006056689.tif 000004
【図３】
2006056689.tif 000005
【図４】
2006056689.tif 000006
【図５】
2006056689.tif 000007
【図６】
2006056689.tif 000008
【図７】
2006056689.tif 000009
【図８】
2006056689.tif 000010
【図９】
2006056689.tif 000011
【図１０】
2006056689.tif 000012
【図１１】
2006056689.tif 000013
【図１２】
2006056689.tif 000014
【図１３】
2006056689.tif 000015
【図１４】
2006056689.tif 000016
【図１５】
2006056689.tif 000017
【図１６】
2006056689.tif 000018
【図１７】
2006056689.tif 000019
【図１８】
2006056689.tif 000020
【図１９】
2006056689.tif 000021
【図２０】
2006056689.tif 000022
【図２１】
2006056689.tif 000023